(57)【要約】      （修正有）【課題】老齢や病弱なペットの抜け毛の散逸及びむれ防止を目的とする背合わせの胴衣及び着脱容易な背合わせのペット用おむつカバー腰衣からなる二組の着衣を提供する。【解決手段】胴衣２、ペット用おむつカバー腰衣３、の２組の構成からなり、胴衣２には、首縁取り４、胴縁取り５、前足孔６、前足孔縁取り７、左右端部に胴衣ホック８ａ，８ｂ、及び後部中央部分には２固の連結ホック９ａを設け、ペット用おむつカバー腰衣３は、前側中央部分には２固の連結ホック９ｂと、肩の部分から左右両端にかけ、ゴム紐１０を通し、左右両端から後足に当る部分にゴム紐１１を通し、腰衣の左右端部に腰衣ホック１２ａ，１２ｂを設け、更に、後側の内側に外側に向けて腰部ホック１３ｂ、と腰衣の内側にメッシュ１４を、その中央部分におむつ１５と、その後部中央部分に略長めの尻尾孔１６及び尻尾孔縁り１７を設けている。【選択図】図４
0003132215.tif 000002
【実用新案登録請求の範囲】
【請求項１】
胴衣２とペット用おむつカバー腰衣３の２組の構成からなり、胴衣２には、首縁取り４、胴縁取り５、前足孔６、前足孔縁取り７、左右端部に胴衣ホック８ａ，８ｂ及び後部中央部分には２固の連結ホック９ａを並べて設け、ペット用おむつカバー腰衣３は、前側中央部分には２固の連結ホック９ｂが並べられ、肩の部分から左右両端にかけ、ゴム紐１０を通し、左右両端から後足にあたる部分にゴム紐１１を通し、ペット用おむつカバー腰衣３の左右端部に腰衣ホック１２ａ，１２ｂを設け、更に、後側の内側に外側に向けて腰部ホック１３とペット用おむつカバー腰衣３の内側にメッシュ１４をその中央部分におむつ１５と、その後部中央部分に略長めの尻尾孔１６及び尻尾孔縁取り１７が設けている。そして胴衣２とペット用おむつカバー腰衣３とを連結ホック９ａ，９ｂで連結し、ペットに装着することを特徴とする胴衣及びペット用おむつカバー腰衣１。
【請求項２】
胴衣２とペット用おむつカバー腰衣３の２組の構成からなり、胴衣２には、後部中央部分の連結ホック９ａとペット用おむつカバー腰衣３の前側中央部分の連結ホック９ｂとを嵌合することにより一個のペット用衣を形成することを特徴とする請求項１に記載の胴衣及びペット用おむつカバー腰衣１。
【請求項３】
胴衣２とペット用おむつカバー腰衣３の２組の構成からなり、胴衣２には、後部中央部分の連結ホック９ａとペット用おむつカバー腰衣３は、前側中央部分の連結ホック９ｂとを嵌合することにより一個のペット用衣を形成し、胴衣２とペット用おむつカバー腰衣３のそれぞれの左右ホック８ａ，８ｂ，１２ａ，１２ｂとを嵌合することにより、ペットの背中で両衣を着せることを特徴とする請求項１に記載の胴衣及びペット用おむつカバー腰衣１。
【請求項４】
おむつ１５の取替えは、ペット用おむつカバー腰衣３のペットの背中に位置する腰衣ホック１２ａ，１２ｂ腰部ホック１３ａ，１３ｂ及び腹部に位置する連結ホック９ａ，９ｂを着脱することにより、おむつの取替することを特徴とする請求項１に記載の胴衣及びペット用おむつカバー腰衣１。
【考案の詳細な説明】
【技術分野】
【０００１】  本考案は、老齢や病弱なペットの抜け毛散逸及びむれの防止を目的とする背合わせの胴衣とむれ防止及び着脱容易な背合わせのペット用おむつカバー腰衣とからなる二組の着衣に関するものである。老齢や病弱なペットの抜け毛散逸及びむれの防止を目的とする背合わせの胴衣とむれ防止及び着脱容易な背合わせのペット用おむつカバー腰衣とからなる二組の着衣に関するものである。
【背景技術】
【０００２】  最近では、ペットを屋内で飼育する人が増え、その大部分の悩みは、脱げ毛の散逸と糞尿等排泄物の処理問題である。これらの問題点を解決するために、犬用おむつ、ペット用おむつカバー、ペット動物用おむつカバーに係る特許出願、登録実用新案がある。【０００３】  犬への不快感が少なく、後始末の利便性に優れた犬用おむつは、犬の肛門部及び尿道口を蓋うように配設されるおむつ本体と、このおむつ本体を着脱自在に犬の身体に配設する配設部としての取付バンドと、このおむつ本体に形成され、排泄物を収納する収納部とを有して主に構成されている。このおむつ本体は、使い捨て可能な様に通気性を有する紙又は布を３枚重ねて一部を除く周囲を糸で縫い付けることにより、略長円形の袋状を呈するようにしているものがある。【０００４】  両足、尾に自由度のある専用の穴部を設け、後足、尾等の穴部の周りにゴム等を通して体にフィットさせたので、動いても尿等が漏れなく、且つ市販のおむつをそのまま使用できコストダウンが図れるペット用おむつカバーにおいて、前足穴部を持つ胴部シートとペット肛門部を露出するように長目の切れ目状の尾穴部を有する尻部シートとの連結したシートのペット用おむつカバーで、その組み立て時に胴部シートの前部がペットの首穴部を、胴部シートの後部と尻部シートの側面部とで後足穴部を構成し、胴部シートにその両側面で互いに仮着する上部係合部及び尻部シートの先端部とそれに対応する該胴部シートの後端部に互いに仮着する腰部係合部を設け、おむつカバーの穴部の周囲に伸縮部を設けているものがある。【０００５】  老齢のペットや病弱のペットなどの垂れ流しをするペットに装着し、ペットの自力では外れにくく、かつ飼い主による糞尿の処理作業が簡便な、しかも飼い主の経済的な負担を軽減できるおむつカバーを提供しているものがある。【０００６】  そのおむつカバーは、シート状部材のおむつカバーで、腹側部分、尻尾挿通孔を有する臀側部分、背側部分、腹側部分から延びる左右の胴ベルト、腹側部分の先端中央からペットの肩側を経てペットの背側に当てられる左右の肩ベルトを有し、おむつカバーは、ペットの背側で着脱自在に連結する胴ベルト連結部、胴ベルト連結部に着脱自在に連結する腹側部分連結部、背側部分の先端に着脱可能に連結する肩ベルト連結部をそれぞれ有し、これらのシート状部材の臀側部分および腹側部分の内面を吸水性シートのおむつの装着部としている。【０００７】  また、胴体にフィットし、着脱とおむつ交換が容易なペット用おむつカバーがある。そのカバーは、布または紙、ポリエステル系フィルムとポリエステル等の不織布にて形成した、腹部を帯状に巻きつける主ベルトと股下から尻尾の下まで密着する股当て部分と、それにつながる二本の副ベルトを尻尾の上で、たすきがけにして腹部に巻きつけた主ベルトに留めつける方法によるものがある。【０００８】  さらに、尻尾の付け根部の拘束感がなく、装着が簡単で、装用安定性のあるペット用おむつ及びおむつカバーにおいて、両側に脚部通し孔を形成し、腹部から臀部を介して背中部に折返して身体に密着させるようにしたペット用おむつカバーにおいて、臀部から背中部先端にかけて尻尾通し用の略Ｕ字形の溝を形���し、該溝の背中側先端左右に一対の面ファスナを設け、面ファスナ同士の結合により、身体に密着させるようしたものがある。
【特許文献１】特開平７−２４６０３６「犬用おむつ」
【特許文献２】特許公開２００６−２６２８８０「ペット用おむつカバー」
【特許文献３】登録実用新案第３１２０３７８号「ペット動物用おむつカバー」
【特許文献４】登録実用新案第３１２３０４３号「ペット用おむつカバー」
【特許文献５】登録実用新案第３１１５２５９号「ペット用おむつ及びおむつカバー」  これらのものは、首から胴体おしめカバーの一体の物或いはおしめカバー単独のものの何れかであり、本考案のように首から胴体とそれに連結するおしめカバーのように２組になっているものはない。
【考案の開示】
【考案が解決しようとする課題】
【０００９】  解決しようとする問題点は、老齢や病弱なペットの抜け毛の散逸及びむれの防止を目的とする背合わせの胴衣及び着脱容易な背合わせのペット用おむつカバー腰衣からなる二組の着衣により、尿を出したときには、胴衣はそのままにして、ペット用おむつカバー腰衣のみを脱衣すれば、尿をしたおむつの離脱と新しいおむつとの取替えが簡単にできるとともに、胴衣の抜け毛の散逸を防止できるものであり、処理の効率を考えて考案したものである。
【課題を解決するための手段】
【００１０】  本考案は、胴衣とペット用おむつカバー腰衣の２組の構成からなり、胴衣には、首縁取り、胴縁取り、前足孔、前足孔縁取り、左右端部に胴衣ホック及び後部中央部分には２固の連結ホックを並べて設け、ペット用おむつカバー腰衣は、前側中央部分には２固の連結ホックが並べられ、肩の部分から左右両端にかけ、ゴム紐を通し、左右両端から後足にあたる部分にゴム紐を通し、ペット用おむつカバー腰衣の左右端部に腰衣ホックを設けている。【００１１】  更に、後側の内側に外側に向けて腰部ホックとペット用おむつカバー腰衣の内側にメッシュをその中央部分におむつと、その後部中央部分に略長めの尻尾孔及び尻尾孔縁取りが設けている。そして胴衣とペット用おむつカバー腰衣とを連結ホックで連結し、ペットに装着することを特徴とする胴衣及びペット用おむつカバー腰衣である。【００１２】  胴衣とペット用おむつカバー腰衣の２組の構成からなり、胴衣には、後部中央部分の連結ホックとペット用おむつカバー腰衣の前側中央部分の連結ホックとを嵌合することにより一個のペット用衣を形成することを特徴とする胴衣及びペット用おむつカバーである。【００１３】  胴衣とペット用おむつカバー腰衣の２組の構成からなり、胴衣には、後部中央部分の連結ホックとペット用おむつカバー腰衣は、前側中央部分の連結ホックとを嵌合することにより一個のペット用衣を形成し、胴衣とペット用おむつカバー腰衣のそれぞれの左右ホックとを嵌合することにより、ペットの背中で両衣を着せることを特徴とする胴衣及びペット用おむつカバーである。【００１４】  おむつの取替えは、ペット用おむつカバー腰衣のペットの背中に位置する腰衣ホックと腰部ホック及び腹部に位置する連結ホックを着脱することにより、おむつを取替えることを特徴とする胴衣及びペット用おむつカバーである。
【考案の効果】
【００１５】  本考案の胴衣及びペット用おむつカバーは、それぞれ別々に着脱できるが、胴衣とペット用おむつカバー腰衣の装着には、それぞれを連結ホックで連結したものを胴衣とペット用おむつカバー腰衣を開いておむつをメッシュの上に置いて犬を連れてきて、胴衣の足孔に前足を通し、ペット用おむつカバー腰衣の足孔に後足と尻尾孔に尻尾を通して、それぞれを連結ホックで連結して一気に装着するとその装着作業は簡便で能率的である。【００１６】  尿をした時には、胴衣とペット用おむつカバー腰衣の連結ホック、腰部ホックとおむつホックを外して、汚れたおむつと新しいおむつとを取替えると、その装着作業は簡便で能率的である。
【考案を実施するための最良の形態】
【００１７】  本考案は、老齢や病弱なペットの抜け毛の散逸及びむれの防止を目的とする背合わせの胴着及び着脱容易な背合わせのペット用おむつカバー腰衣からなる二組の着衣を実現した。
【実施例】
【００１８】  図１は、本考案の胴衣２及びペット用おむつカバー腰衣３を犬に背合わせの状態合わせ目１８で装着している実施方法を示した実施例の側面図であり、図２は、図１の平面図で、図３は、同じく図１の底面図であってその説明図である。そして、図４は、胴衣２とペット用おむつカバー腰衣３とを連結ホックを離した状態において、それぞれを別々に開いた平面説明図である。
図４中（雌ａ）ホックは、着衣の内側に装着され、（雄ｂ）ホックは、着衣の外側に装着されている。【００１９】  更に、図５は、胴衣を立体的示した斜視説明図であり、図６は、図５の底面を示した説明図であって、図７は、ペット用おむつカバー腰衣３を立体的示した斜視説明図である。また、図８は、胴衣とペット用おむつカバー腰衣３とを連結ホックで連結９ａ，９ｂした状態において、立体的示した平面説明図である。そして、図９は、図８の斜視説明図である。【００２０】  本考案の胴衣及びペット用おむつカバー腰衣１について、図面に基づいて更に詳述すると、図１に示すように、胴衣及びペット用おむつカバー腰衣１の２種の胴衣と腰衣を犬に装着している状態を示した実施例の側面図であって、胴衣２とペット用おむつカバー腰衣３は、背の位置で合わせ目線１８を置き、胴衣２は、胴ホック８ａ，８ｂで、ペット用おむつカバー腰衣３は、腰ホック１２ａ，１２ｂで、止めている状態を表示している。【００２１】  そして、胴衣３の尻尾孔１６は、長く作られ尻尾孔１６の縁取りにはゴム紐が通されているが、そのゴムは緩く尾の上部から尾の下にある肛門１９の部分の尻尾孔１６は充分に開いているので犬がそのまま糞をしてもペット用おむつカバー腰衣３の尻尾孔１６の周りを汚す心配は全く無い。したがって、犬が便意を表してもペット用おむつカバー腰衣３を外すことは無く、慌てることなく所定の箇所に連れて行くか、犬自身が所定の箇所に行き要件を果たすものである。【００２２】  図２と図３は、胴衣及びペット用おむつカバー腰衣１を犬に装着している実施状態を表示した実施例の平面図と底面図である。図２の平面図は、胴衣２及びペット用おむつカバー腰衣３の２種の胴衣２とペット用おむつカバー腰衣３を連結ホック９ａ，９ｂした状態で犬に装着している実施例を示したもので、胴衣２とペット用おむつカバー腰衣３とを背の位置で合わせ目線１８、胴ホック８ａ，８ｂと腰部ホック１２ａ，１２ｂ止め、更に、腰部ホック１３ａ，１３ｂで止めている状態を平面から表示したものである。
図３は、胴衣２及びペット用おむつカバー腰衣３を犬に着けている実施状態を表示した実施例の底面図であって胴衣２とペット用おむつカバー腰衣３との連結状態を表示している。【００２３】  図４は、胴衣２とペット用おむつカバー腰衣３とを連結ホック９ａ，９ｂを離した状態において、それぞれを別々に開いた平面説明図である。
胴衣２の上部は、首に当る部分であり、下部は、胴に当る部分であって、それぞれに縁取り４、５が設けられており、下部の縁取り中央部分の内側に２個の連結ホック（雌）９ａは着衣の内側に設けられ、左右の縁にはそれぞれ４個のホックを設け、右側は（雌）ホックは着衣の内側であり、左側は（雄）ホックは着衣の外側であって、その中央部の２個の孔は、前足孔６とその孔の縁には縁取り７を設けている。【００２４】  下部のペット用おむつカバー腰衣３は、その上部の凸部には２個の連結ホック（雌）９ａを並べて着衣の外側に設けられ、左右の上部縁取り１０と後ろ足の腿に当る部分の縁取り１１にはゴム紐が通されている。そして、上部の腰を巻く部分の左右両端部には２個の腰ホック１２ａ，１２ｂが設けられ右側１２ａは（雌）ホックであり、左側は１２ｂ（雄）ホックである。その下段ホック１２ａ，１２ｂの内側にそれぞれ腰部ホック（雄）１３ｂを設け、その上部の腰を巻く部分にはおむつと排尿によるむれを防止するために一面に亘りメッシュ１４を設けている。【００２５】  そして、そのペット用おむつカバー腰衣３下部中央には長めの尻尾孔１６とその孔の縁取りには緩めのゴム紐を通し、その下の下端部中央には腰部ホック（雌）１３ａを設けてなるものである。【００２６】  図５は、胴衣２を装着するように胴衣ホック（雌・雄）８ａと８ｂを合わせるようにして右側端部を返した状態における立体的に示した斜視説明図で、４は首縁取り、５は胴縁取りで、７は前足縁取りで、点線は胴縁取り下側を表示したものである。【００２７】  図６は、胴衣２を装着するように胴衣ホック（雌・雄）８ａと８ｂを合わせた状態における立体的に示した斜視説明図で、４は首縁取り、５は胴縁取りで、７は前足縁取りで、点線は胴縁取り下側を表示したものである。
底面からようにして右側端部を返した状態における立体的に示した斜視説明図で、４は首縁取り、５は胴縁取り、７は前足縁取りで、点線による表示は胴衣２合わせた胴ホック（雌・雄）８ａ，８ｂと合わせ目線１８である。【００２８】  図７は、ペット用おむつカバー腰衣３を装着するように腰衣ホック（雌・雄）１２ａと１２ｂを合わせるようにして右側端部を返した状態における立体的に示した斜視説明図で、９ｂは連結ホック（雌）を裏側から見た図で左右の上部縁取りにはゴム紐１０が通されている。１２ａ，１２ｂは胴ホック（雌・雄）、１３ａ，１３ｂは腰部ホック（雌・雄）で、点線は胴縁取り下側を表示したものである。ペット用おむつカバー腰衣３の上部内側にはメッシュ１４が設けられている。そして、その下部には、尻尾孔１６と尻尾孔の縁取りには緩めのゴム紐が通されている。【００２９】  図８は、胴衣２とペット用おむつカバー腰衣３とを連結ホック（雌・雄）９ａ，９ｂで連結した状態において、立体的示した平面説明図であって、２は胴衣、４は首縁取り、８ａ，８ｂは胴ホック（雄・雌）、６は点線で裏側の足孔、５は胴縁取りで、その点線は裏側の胴縁取りを示している。
そして、その下はペット用おむつカバー腰衣３で上部の点線は、胴衣２の裏側を示し、９ａ，９ｂは連結ホック（雄・雌）、１０は腰衣ゴム紐、１２ａ，１２ｂは腰衣ホック（雄・雌）で、１３ａ，１３ｂは腰部ホック（雄・雌）である。その下の実線で表示されている部分の１１は足側ゴム紐、１４はむれ防止用メッシュ、１６は尻尾孔、１７は尻尾孔縁取りである。【００３０】  図９は図８の斜視説明図であって、２は胴衣、４は首縁取り、８ａ，８ｂは胴ホック（雄・雌）、６は前足孔、５は胴縁取りで、点線で裏側の前足孔６足孔縁取り７を表し、その下部の点線は胴衣の裏側を示し、胴縁取りを示している。
そして、その下はペット用おむつカバー腰衣３で上部の点線は、胴衣２の裏側を示し、９ａ，９ｂは連結ホック（雄・雌）、１０は腰衣ゴム紐、１２ａ，１２ｂは腰衣ホック（雄・雌）で、１３ａ，１３ｂは腰部ホック（雄・雌）である。その下の実線で表示されている部分の１１は足側ゴム紐、１４はむれ防止用メッシュ、１６は尻尾孔、１７は尻尾孔縁取りである。
【産業上の利用可能性】
【００３１】  以上説明したところから明らかなように、本考案は、老齢や病弱なペットの抜け毛散逸及びむれの防止を目的とする背合わせの胴衣とむれ防止及び着脱容易な背合わせのペット用おむつカバー腰衣とからなる二組の着衣に関するもので、老齢や病弱なペットの抜け毛散逸及びむれの防止を目的とする背合わせの胴衣とむれ防止及び着脱容易な背合わせのペット用おむつカバー腰衣とからなり、着衣の着脱はそれぞれ別々に容易にできるもので極めて衛生的に使用することができるものである。
【図面の簡単な説明】
【００３２】
【図１】本考案の胴衣及びペット用おむつカバー腰衣を犬に着けている実施方法を示した側面図である。（実施例１）
【図２】図１の平面図であってその説明図である。
【図３】図１の底面図であってその説明図である。
【図４】胴衣とペット用おむつカバー腰衣とを連結ホックを離した状態において、それぞれを別々に開いた平面説明図である。
【図５】胴衣を立体的示した斜視説明図である。
【図６】図５の底面を示した説明図である。
【図７】ペット用おむつカバー腰衣を立体的示した斜視説明図である。
【図８】胴衣とペット用おむつカバー腰衣とを連結ホックで連結した状態において、立体的示した平面説明図である。
【図９】図８の斜視説明図である。
【符号の説明】
【００３３】１    胴衣及びペット用おむつカバー腰衣
２    胴衣
３    ペット用おむつカバー腰衣
４    首縁取り
５    胴縁取り
６    前足孔
７    前足孔縁取り
８ａ    胴ホック（雌）
８ｂ    胴ホック（雄）
９ａ    連結ホック（雌）
９ｂ    連結ホック（雄）首用鎖孔
１０    腰衣ゴム紐
１１    足側ゴム紐
１２ａ  腰衣ホック（雌）
１２ｂ  腰衣ホック（雄）
１３ａ  腰部ホック（雌）
１３ｂ  腰部ホック（雄）
１４    むれ防止用メッシュ
１５    おむつ
１６    尻尾孔
１７    尻尾孔縁取り
１８    合わせ目線
１９    肛門
【図１】
0003132215.tif 000003
【図２】
0003132215.tif 000004
【図３】
0003132215.tif 000005
【図４】
0003132215.tif 000006
【図５】
0003132215.tif 000007
【図６】
0003132215.tif 000008
【図７】
0003132215.tif 000009
【図８】
0003132215.tif 000010
【図９】
0003132215.tif 000011
【手続補正書】
【提出日】平成19年2月21日(2007.2.21)
【手続補正１】
【補正対象書類名】実用新案登録請求の範囲
【補正対象項目名】全文
【補正方法】変更
【補正の内容】
【実用新案登録請求の範囲】
【請求項１】
胴衣２とペット用おむつカバー腰衣３の２組の構成からなり、胴衣２には、首縁取り４、胴縁取り５、前足孔６、前足孔縁取り７、左右端部に胴衣ホック８ａ，８ｂ及び後部中央部分には２固の連結ホック９ａを並べて設け、ペット用おむつカバー腰衣３は、前側中央部分には２固の連結ホック９ｂが並べられ、肩の部分から左右両端にかけ、ゴム紐１０を通し、左右両端から後足にあたる部分にゴム紐１１を通し、ペット用おむつカバー腰衣３の左右端部に腰衣ホック１２ａ，１２ｂを設け、更に、後側の内側に外側に向けて腰部ホック１３とペット用おむつカバー腰衣３の内側にメッシュ１４をその中央部分におむつ１５と、その後部中央部分に略長めの尻尾孔１６及び尻尾孔縁取り１７が設け、胴衣２とペット用おむつカバー腰衣３とを連結ホック９ａ，９ｂで連結し、ペットに装着することを特徴とするペット用おむつカバー１。
【請求項２】
胴衣２とペット用おむつカバー腰衣３の２組の構成からなり、胴衣２には、後部中央部分の連結ホック９ａとペット用おむつカバー腰衣３の前側中央部分の連結ホック９ｂとを連結することにより一個のペット用おむつカバーを形成することを特徴とする請求項１に記載のペット用おむつカバー１。
【請求項３】
胴衣２とペット用おむつカバー腰衣３の２組の構成からなり、胴衣２には、後部中央部分の連結ホック９ａとペット用おむつカバー腰衣３は、前側中央部分の連結ホック９ｂとを連結することにより一個のペット用おむつカバーを形成し、胴衣２とペット用おむつカバー腰衣３のそれぞれの左右ホック８ａ，８ｂ，１２ａ，１２ｂとを嵌合することにより、ペットの背中で両衣を着せることを特徴とする請求項１に記載のペット用おむつカバー１。
【請求項４】
おむつ１５の取替えは、ペット用おむつカバー腰衣３のペットの背中に位置する腰衣ホック１２ａ，１２ｂ腰部ホック１３ａ，１３ｂ及び腹部に位置する連結ホック９ａ，９ｂを着脱することにより、おむつの取替することを特徴とする請求項１に記載のペット用おむつカバー１。
【手続補正２】
【補正対象書類名】明細書
【補正対象項目名】全文
【補正方法】変更
【補正の内容】
【考案の詳細な説明】
【技術分野】
【０００１】  本考案は、老齢や病弱なペットの抜け毛散逸及びむれの防止を目的とする背合わせの胴衣とむれ防止及び着脱容易な背合わせのペット用おむつカバー腰衣とからなる二組の着衣に関するものである。老齢や病弱なペットの抜け毛散逸及びむれの防止を目的とする背合わせの胴衣とむれ防止及び着脱容易な背合わせのペット用おむつカバー腰衣とからなる二組の着衣に関するものである。
【背景技術】
【０００２】  最近では、ペットを屋内で飼育する人が増え、その大部分の悩みは、脱げ毛の散逸と糞尿等排泄物の処理問題である。これらの問題点を解決するために、犬用おむつ、ペット用おむつカバー、ペット動物用おむつカバーに係る特許出願、登録実用新案がある。【０００３】  犬への不快感が少なく、後始末の利便性に優れた犬用おむつは、犬の肛門部及び尿道口を蓋うように配設されるおむつ本体と、このおむつ本体を着脱自在に犬の身体に配設する配設部としての取付バンドと、このおむつ本体に形成され、排泄物を収納する収納部とを有して主に構成されている。このおむつ本体は、使い捨て可能な様に通気性を有する紙又は布を３枚重ねて一部を除く周囲を糸で縫い付けることにより、略長円形の袋状を呈するようにしているものがある。【０００４】  両足、尾に自由度のある専用の穴部を設け、後足、尾等の穴部の周りにゴム等を通して体にフィットさせたので、動いても尿等が漏れなく、且つ市販のおむつをそのまま使用できコストダウンが図れるペット用おむつカバーにおいて、前足穴部を持つ胴部シートとペット肛門部を露出するように長目の切れ目状の尾穴部を有する尻部シートとの連結したシートのペット用おむつカバーで、その組み立て時に胴部シートの前部がペットの首穴部を、胴部シートの後部と尻部シートの側面部とで後足穴部を構成し、胴部シートにその両側面で互いに仮着する上部係合部及び尻部シートの先端部とそれに対応する該胴部シートの後端部に互いに仮着する腰部係合部を設け、おむつカバーの穴部の周囲に伸縮部を設けているものがある。【０００５】  老齢のペットや病弱のペットなどの垂れ流しをするペットに装着し、ペットの自力では外れにくく、かつ飼い主による糞尿の処理作業が簡便な、しかも飼い主の経済的な負担を軽減できるおむつカバーを提供しているものがある。【０００６】  そのおむつカバーは、シート状部材のおむつカバーで、腹側部分、尻尾挿通孔を有する臀側部分、背側部分、腹側部分から延びる左右の胴ベルト、腹側部分の先端中央からペットの肩側を経てペットの背側に当てられる左右の肩ベルトを有し、おむつカバーは、ペットの背側で着脱自在に連結する胴ベルト連結部、胴ベルト連結部に着脱自在に連結する腹側部分連結部、背側部分の先端に着脱可能に連結する肩ベルト連結部をそれぞれ有し、これらのシート状部材の臀側部分および腹側部分の内面を吸水性シートのおむつの装着部としている。【０００７】  また、胴体にフィットし、着脱とおむつ交換が容易なペット用おむつカバーがある。そのカバーは、布または紙、ポリエステル系フィルムとポリエステル等の不織布にて形成した、腹部を帯状に巻きつける主ベルトと股下から尻尾の下まで密着する股当て部分と、それにつながる二本の副ベルトを尻尾の上で、たすきがけにして腹部に巻きつけた主ベルトに留めつける方法によるものがある。【０００８】  さらに、尻尾の付け根部の拘束感がなく、装着が簡単で、装用安定性のあるペット用おむつ及びおむつカバーにおいて、両側に脚部通し孔を形成し、腹部から臀部を介して背中部に折返して身体に密着させるようにしたペット用おむつカバーにおいて、臀部から背中部先端にかけて尻尾通し用の略Ｕ字形の溝を形���し、該溝の背中側先端左右に一対の面ファスナを設け、面ファスナ同士の結合により、身体に密着させるようしたものがある。
【特許文献１】特開平７−２４６０３６「犬用おむつ」
【特許文献２】特許公開２００６−２６２８８０「ペット用おむつカバー」
【特許文献３】登録実用新案第３１２０３７８号「ペット動物用おむつカバー」
【特許文献４】登録実用新案第３１２３０４３号「ペット用おむつカバー」
【特許文献５】登録実用新案第３１１５２５９号「ペット用おむつ及びおむつカバー」  これらのものは、首から胴体おしめカバーの一体の物或いはおしめカバー単独のものの何れかであり、本考案のように首から胴体とそれに連結するおしめカバーのように２組になっているものはない。
【考案の開示】
【考案が解決しようとする課題】
【０００９】
【００１０】  解決しようとする問題点は、老齢や病弱なペットの抜け毛の散逸及びむれの防止を目的とする背合わせの胴衣及び着脱容易な背合わせのペット用おむつカバー腰衣からなる二組の着衣により、尿を出したときには、胴衣はそのままにして、ペット用おむつカバー腰衣のみを脱衣すれば、尿をしたおむつの離脱と新しいおむつとの取替えが簡単にできるとともに、胴衣の抜け毛の散逸を防止できるものであり、処理の効率を考えて考案したものである。
【課題を解決するための手段】
【００１１】  本考案は、胴衣とペット用おむつカバー腰衣の２組の構成からなり、胴衣には、首縁取り、胴縁取り、前足孔、前足孔縁取り、左右端部に胴衣ホック及び後部中央部分には２固の連結ホックを並べて設け、ペット用おむつカバー腰衣は、前側中央部分には２固の連結ホックが並べられ、肩の部分から左右両端にかけ、ゴム紐を通し、左右両端から後足にあたる部分にゴム紐を通し、ペット用おむつカバー腰衣の左右端部に腰衣ホックを設けている。【００１２】  更に、後側の内側に外側に向けて腰部ホックとペット用おむつカバー腰衣の内側にメッシュをその中央部分におむつと、その後部中央部分に略長めの尻尾孔及び尻尾孔縁取りが設けている。そして胴衣とペット用おむつカバー腰衣とを連結ホックで連結し、ペットに装着することを特徴とするペット用おむつカバーである。【００１３】  胴衣とペット用おむつカバー腰衣の２組の構成からなり、胴衣には、後部中央部分の連結ホックとペット用おむつカバー腰衣の前側中央部分の連結ホックで連結することにより一個のペット用おむつカバーを形成することを特徴とするペット用おむつカバーである。【００１４】  胴衣とペット用おむつカバー腰衣の２組の構成からなり、胴衣には、後部中央部分の連結ホックとペット用おむつカバー腰衣は、前側中央部分の連結ホックで連結することにより一個のペット用おむつカバーを形成し、胴衣とペット用おむつカバー腰衣のそれぞれの左右ホックとを嵌合することにより、ペットの背中で両衣を着せることを特徴とするペット用おむつカバーである。【００１５】  おむつの取替えは、ペット用おむつカバー腰衣のペットの背中に位置する腰衣ホックと腰部ホック及び腹部に位置する連結ホックを着脱することにより、おむつを取替えることを特徴とするペット用おむつカバーである。
【考案の効果】
【００１６】  本考案の胴衣及びペット用おむつカバーは、それぞれ別々に着脱できるが、胴衣とペット用おむつカバー腰衣の装着には、それぞれを連結ホックで連結したものを胴衣とペット用おむつカバー腰衣を開いておむつをメッシュの上に置いて犬を連れてきて、胴衣の足孔に前足を通し、ペット用おむつカバー腰衣の足孔に後足と尻尾孔に尻尾を通して、それぞれを連結ホックで連結して一気に装着するとその装着作業は簡便で能率的である。【００１７】  尿をした時には、胴衣とペット用おむつカバー腰衣の連結ホック、腰部ホックとおむつホックを外して、汚れたおむつと新しいおむつとを取替えると、その装着作業は簡便で能率的である。
【考案を実施するための最良の形態】
【００１８】  本考案は、老齢や病弱なペットの抜け毛の散逸及びむれの防止を目的とする背合わせの胴着及び着脱容易な背合わせのペット用おむつカバー腰衣からなる二組の着衣を実現した。
【実施例】
【００１９】  図１は、本考案の胴衣２及びペット用おむつカバー腰衣３を犬に背合わせの状態合わせ目１８で装着している実施方法を示した実施例の側面図であり、図２は、図１の平面図で、図３は、同じく図１の底面図であってその説明図である。そして、図４は、胴衣２とペット用おむつカバー腰衣３とを連結ホックを離した状態において、それぞれを別々に開いた平面説明図である。
図４中（雌ａ）ホックは、着衣の内側に装着され、（雄ｂ）ホックは、着衣の外側に装着されている。【００２０】  更に、図５は、胴衣を立体的示した斜視説明図であり、図６は、図５の底面を示した説明図であって、図７は、ペット用おむつカバー腰衣３を立体的示した斜視説明図である。また、図８は、胴衣とペット用おむつカバー腰衣３とを連結ホックで連結９ａ，９ｂした状態において、立体的示した平面説明図である。そして、図９は、図８の斜視説明図である。【００２１】  本考案のペット用おむつカバー１について、図面に基づいて更に詳述すると、図１に示すように、ペット用おむつカバー１の２種の胴衣と腰衣を犬に装着している状態を示した実施例の側面図であって、胴衣２とペット用おむつカバー腰衣３は、背の位置で合わせ目線１８を置き、胴衣２は、胴ホック８ａ，８ｂで、ペット用おむつカバー腰衣３は、腰ホック１２ａ，１２ｂで、止めている状態を表示している。【００２２】  そして、胴衣３の尻尾孔１６は、長く作られ尻尾孔１６の縁取りにはゴム紐が通されているが、そのゴムは緩く尾の上部から尾の下にある肛門１９の部分の尻尾孔１６は充分に開いているので犬がそのまま糞をしてもペット用おむつカバー腰衣３の尻尾孔１６の周りを汚す心配は全く無い。したがって、犬が便意を表してもペット用おむつカバー腰衣３を外すことは無く、慌てることなく所定の箇所に連れて行くか、犬自身が所定の箇所に行き要件を果たすものである。【００２３】  図２と図３は、ペット用おむつカバー１を犬に装着している実施状態を表示した実施例の平面図と底面図である。図２の平面図は、胴衣２及びペット用おむつカバー腰衣３の２種の胴衣２とペット用おむつカバー腰衣３を連結ホック９ａ，９ｂで連結した状態で犬に装着している実施例を示したもので、胴衣２とペット用おむつカバー腰衣３とを背の位置で合わせ目線１８、胴ホック８ａ，８ｂと腰部ホック１２ａ，１２ｂで止め、更に、腰部ホック１３ａ，１３ｂで止めている状態を平面から表示したものである。
図３は、胴衣２及びペット用おむつカバー腰衣３を犬に着けている実施状態を表示した実施例の底面図であって、胴衣２とペット用おむつカバー腰衣３との連結状態を表示している。【００２４】  図４は、胴衣２とペット用おむつカバー腰衣３とを連結ホック９ａ，９ｂを離した状態において、それぞれを別々に開いた平面説明図である。
胴衣２の上部は、首に当る部分であり、下部は、胴に当る部分であって、それぞれに縁取り４、５が設けられており、下部の縁取り中央部分の内側に２個の連結ホック（雌）９ａは着衣の内側に設けられ、左右の縁にはそれぞれ４個のホックを設け、右側は（雌）ホックは着衣の内側であり、左側は（雄）ホックは着衣の外側であって、その中央部の２個の孔は、前足孔６とその孔の縁には縁取り７を設けている。【００２５】  下部のペット用おむつカバー腰衣３は、その上部の凸部には２個の連結ホック（雌）９ａを並べて着衣の外側に設けられ、左右の上部縁取り１０と後ろ足の腿に当る部分の縁取り１１にはゴム紐が通されている。そして、上部の腰を巻く部分の左右両端部には２個の腰ホック１２ａ，１２ｂが設けられ右側１２ａは（雌）ホックであり、左側は１２ｂ（雄）ホックである。その下段ホック１２ａ，１２ｂの内側にそれぞれ腰部ホック（雄）１３ｂを設け、その上部の腰を巻く部分にはおむつと排尿によるむれを防止するために一面に亘りメッシュ１４を設けている。【００２６】  そして、そのペット用おむつカバー腰衣３下部中央には長めの尻尾孔１６とその孔の縁取りには緩めのゴム紐を通し、その下の下端部中央には腰部ホック（雌）１３ａを設けてなるものである。【００２７】  図５は、胴衣２を装着するように胴衣ホック（雌・雄）８ａと８ｂを合わせるようにして右側端部を返した状態における立体的に示した斜視説明図で、４は首縁取り、５は胴縁取りで、７は前足縁取りで、点線は胴縁取り下側を表示したものである。【００２８】  図６は、胴衣２を装着するように胴衣ホック（雌・雄）８ａと８ｂを合わせた状態における立体的に示した斜視説明図で、４は首縁取り、５は胴縁取りで、７は前足縁取りで、点線は胴縁取り下側を表示したものである。
底面からようにして右側端部を返した状態における立体的に示した斜視説明図で、４は首縁取り、５は胴縁取り、７は前足縁取りで、点線による表示は胴衣２合わせた胴ホック（雌・雄）８ａ，８ｂと合わせ目線１８である。【００２９】  図７は、ペット用おむつカバー腰衣３を装着するように腰衣ホック（雌・雄）１２ａと１２ｂを合わせるようにして右側端部を返した状態における立体的に示した斜視説明図で、９ｂは連結ホック（雌）を裏側から見た図で左右の上部縁取りにはゴム紐１０が通されている。１２ａ，１２ｂは胴ホック（雌・雄）、１３ａ，１３ｂは腰部ホック（雌・雄）で、点線は胴縁取り下側を表示したものである。ペット用おむつカバー腰衣３の上部内側にはメッシュ１４が設けられている。そして、その下部には、尻尾孔１６と尻尾孔の縁取りには緩めのゴム紐が通されている。【００３０】  図８は、胴衣２とペット用おむつカバー腰衣３とを連結ホック（雌・雄）９ａ，９ｂで連結した状態において、立体的示した平面説明図であって、２は胴衣、４は首縁取り、８ａ，８ｂは胴ホック（雄・雌）、６は点線で裏側の足孔、５は胴縁取りを示している。
そして、その下はペット用おむつカバー腰衣３で上部の点線は、胴衣２の裏側を示し、９ａ，９ｂは連結ホック（雄・雌）、１０は腰衣ゴム紐、１２ａ，１２ｂは腰衣ホック（雄・雌）で、１３ａ，１３ｂは腰部ホック（雄・雌）である。その下の実線で表示されている部分の１１は足側ゴム紐、１４はむれ防止用メッシュ、１６は尻尾孔、１７は尻尾孔縁取りである。【００３１】  図９は図８の斜視説明図であって、２は胴衣、４は首縁取り、８ａ，８ｂは胴ホック（雄・雌）、６は前足孔、５は胴縁取りで、点線で裏側の前足孔６足孔縁取り７を示し、その下部の点線は胴衣の裏側を示している。
そして、その下はペット用おむつカバー腰衣３で上部の点線は、胴衣２の裏側を示し、９ａ，９ｂは連結ホック（雄・雌）、１０は腰衣ゴム紐、１２ａ，１２ｂは腰衣ホック（雄・雌）で、１３ａ，１３ｂは腰部ホック（雄・雌）である。その下の実線で表示されている部分の１１は足側ゴム紐、１４はむれ防止用メッシュ、１６は尻尾孔、１７は尻尾孔縁取りである。
【産業上の利用可能性】
【００３２】  以上説明したところから明らかなように、本考案は、老齢や病弱なペットの抜け毛散逸及びむれの防止を目的とする背合わせの胴衣とむれ防止及び着脱容易な背合わせのペット用おむつカバー腰衣とからなる二組の着衣に関するもので、老齢や病弱なペットの抜け毛散逸及びむれの防止を目的とする背合わせの胴衣とむれ防止及び着脱容易な背合わせのペット用おむつカバー腰衣とからなり、着衣の着脱はそれぞれ別々に容易にできるもので極めて衛生的に使用することができるものである。
【図面の簡単な説明】
【００３３】
【図１】本考案の胴衣及びペット用おむつカバー腰衣を犬に着けている実施方法を示した側面図である。（実施例１）
【図２】図１の平面図であってその説明図である。
【図３】図１の底面図であってその説明図である。
【図４】胴衣とペット用おむつカバー腰衣とを連結ホックを離した状態において、それぞれを別々に開いた平面説明図である。
【図５】胴衣を立体的示した斜視説明図である。
【図６】図５の底面を示した説明図である。
【図７】ペット用おむつカバー腰衣を立体的示した斜視説明図である。
【図８】胴衣とペット用おむつカバー腰衣とを連結ホックで連結した状態において、立体的示した平面説明図である。
【図９】図８の斜視説明図である。
【符号の説明】
【００３４】１    ペット用おむつカバー
２    胴衣
３    ペット用おむつカバー腰衣
４    首縁取り
５    胴縁取り
６    前足孔
７    前足孔縁取り
８ａ    胴ホック（雌）
８ｂ    胴ホック（雄）
９ａ    連結ホック（雌）
９ｂ    連結ホック（雄）首用鎖孔
１０    腰衣ゴム紐
１１    足側ゴム紐
１２ａ  腰衣ホック（雌）
１２ｂ  腰衣ホック（雄）
１３ａ  腰部ホック（雌）
１３ｂ  腰部ホック（雄）
１４    むれ防止用メッシュ
１５    おむつ
１６    尻尾孔
１７    尻尾孔縁取り
１８    合わせ目線
１９    肛門